(57)【特許請求の範囲】
【請求項１】
透光板の一方の面にシフト位置を表示する表示部を設けると共に、他方の面の前記表示部の夫々のシフト位置と対応する位置にはインジケータパネルの窓に嵌合するための凸部を形成し、前記透光板の長さ方向のいずれかの端部に、前記透光板の内部へ向かって光を照射する光源を設け、該光源から前記長さ方向に沿って照射された光を前記透光板の内部で乱反射させる反射部を前記透光板の側面に形成し、
該反射部で乱反射した光の少なくとも一部を前記投光板の下部に形成した表示部へ向って照射することにより、該表示部の全体を照らすようにしたことを特徴とするシフト位置表示装置。
【請求項２】
請求項１に記載のシフト位置表示装置において、
前記反射部は、前記反射部で乱反射した光が前記表示部を照らし、該表示部を照らした光が前記凸部から前記透光板の外部へ出るように、前記表示部と対向する面に形成されていることを特徴とするシフト位置表示装置。
【請求項３】
請求項１に記載のシフト位置表示装置において、
前記反射部は、前記反射部で乱反射した光が前記凸部から前記透光板の外部へ出て、該乱反射した光の一部が前記表示部を照らすように、前記凸部と対向する面に形成されていることを特徴とするシフト位置表示装置。
【発明の詳細な説明】
【技術分野】
【０００１】
本発明は、シフト位置表示装置に関し、単一の透光板を用いるようにしたものである。
【背景技術】
【０００２】
車両には自動変速機用のシフトレバーが設けられており、該シフトレバーの位置を表示するためにＰ，Ｒ，Ｎ，Ｄ等の文字を記載したシフト位置表示装置が設けられている。
【０００３】
従来のシフト位置表示装置としては、例えば特許文献１に記載のものが知られている。このシフト位置表示装置は、シフトレバーの近傍に配置されるインジケータプレートを、下面にＰ，Ｒ，Ｎ，Ｄ等の文字を印刷した文字板と、該文字板の下方に配置されて電球の光を該文字板へ導くための導光板とにより構成したものであり、電球の光により文字板が下方から照明され、文字板を透過した光によりシフトレバーの位置が視覚を介して認識される。
【特許文献１】特開平７−３１７８８９号公報
【発明の開示】
【発明が解決しようとする課題】
【０００４】
ところが、特許文献１に記載のシフト位置表示装置は、インジケータプレートが文字板と導光板との二重構造であるため、部品点数が多く製造コストが高い。
【０００５】
そこで本発明は、上記の課題を解決し、１枚の透光板で構成したシフト位置表示装置を提供することを目的とする。
【課題を解決するための手段】
【０００６】
請求項１に係る発明は、透光板の一方の面にシフト位置を表示する表示部を設けると共に、他方の面の前記表示部の夫々のシフト位置と対応する位置にはインジケータパネルの窓に嵌合するための凸部を形成し、前記透光板の長さ方向のいずれかの端部に、前記透光板の内部へ向かって光を照射する光源を設け、該光源から前記長さ方向に沿って照射された光を前記透光板の内部で乱反射させる反射部を前記透光板の側面に形成し、
該反射部で乱反射した光の少なくとも一部を前記投光板の下部に形成した表示部へ向って照射することにより、該表示部の全体を照らすようにしたことを特徴とする。
【０００７】
この発明によれば、光源から透光板に、該透光板の長さ方向に沿って照射された光は反射部で乱反射され、光の少なくとも一部は表示部へ向かって照射され、表示部で反射されて凸部から透光板の外部へ出る。従って、夫々の表示部を視覚により認識することができる。
【０００８】
請求項２に係る発明は、請求項１に記載のシフト位置表示装置において、
前記反射部は、前記反射部で乱反射した光が前記表示部を照らし、該表示部を照らした光が前記凸部から前記透光板の外部へ出るように、前記表示部と対向する面に形成されていることを特徴とする。
【０００９】
この発明によれば、光源から透光板の長さ方向に沿って照射された光は表示部と対向する面の反射部で乱反射され、該乱反射された光は表示部へ向かって照射され、該表示部で再度反射されて凸部から透光板の外部へ出る。従って、表示部を視覚により認識することができる。
【００１０】
請求項３に係る発明は、請求項１に記載のシフト位置表示装置において、
前記反射部は、前記反射部で乱反射した光が前記凸部から前記透光板の外部へ出て、該乱反射した光の一部が前記表示部を照らすように、前記凸部と対向する面に形成されていることを特徴とする。
【００１１】
この発明によれば、光源から透光板の長さ方向に沿って照射された光は凸部と対向する面の反射部で乱反射され、該乱反射された光は凸部から透光板の外部へ出る。そして、凸部と対向する面の反射部で乱反射された光の一部は、表示部へ向かって照射され、該表示部で反射されて凸部から透光板の外部へ出る。従って、表示部を視覚により認識することができる。
【発明の効果】
【００１２】
請求項１に係るシフト位置表示装置によれば、単一の透光板を用いるので、従来のように文字板と導光板とを用いた二重構造のシフト位置表示装置に比べて部品点数が少なくて済み、製造コストが安くなる。また、表示部に光を透過させる構成ではなく、表示部に光を反射させて視覚的に認識させる構成なので、表示部を介して視覚的に認識する色彩を希望する色にするのが容易であり、色々な色彩が使える。また、立体的に見せることも可能であり、見栄えが向上する。
【００１３】
請求項２に係るシフト位置表示装置によれば、光源から透光板の長さ方向に沿って照射された光は表示部と対向する面の反射部で乱反射され、該乱反射された光は表示部へ向かって照射され、該表示部で再度反射されて凸部から透光板の外部へ出る。従って、文字だけでなく、表示部の全体を照らすことができ、視認性および見栄えが向上する。
【００１４】
請求項３に係るシフト位置表示装置によれば、光源から透光板の長さ方向に沿って照射された光は凸部と対向する面の反射部で乱反射され、該乱反射された光は凸部から透光板の外部へ出る。そして、凸部と対向する面の反射部で乱反射された光の一部は表示部へ向かって照射され、該表示部で反射されて凸部から透光板の外部へ出る。従って、光の中に表示部の文字が浮き出て見え、見栄えが向上する。
【発明を実施するための最良の形態】
【００１５】
以下、本発明によるシフト位置表示装置の実施の形態を説明する。
（ａ）実施の形態１
まず、実施の形態１について説明する。車両のシフトレバーの近傍には、図３に示すように、インジケータパネル４が設けられている。該インジケータパネル４には、図示しないシフトレバーを挿通させるための長孔４ａと、シフトレバーのシフトポジションを表示するための複数の窓４ｂとが形成されている。そして、インジケータパネル４の下方にはシフト位置表示装置１が設けられている。
【００１６】
シフト位置表示装置１は、透光板２と該透光板２の一方側の端面に配置した光源としてのＬＥＤ３とによって構成されている。透光板２としては、例えば透明ガラス，透明樹脂等が用いられるが、本実施の形態では透明なアクリル樹脂が用いられている。
【００１７】
シフト位置表示装置１の構成を図１に示す。透光板２の一方の面である下面には、図示しないシフトレバーのシフト位置を表示するための表示部２ａが複数並べて配設されている。該表示部２ａには、「Ｐ」「Ｒ」「Ｎ」「Ｄ」の文字が夫々印刷され、これらが一列に配置されている。そして、他方の面である上面には、表示部２ａの文字と対応する位置に、図３のインジケータパネル４の窓４ｂに嵌合するための凸部２ｂが形成されている。前記表示部２ａの大きさは、該凸部２ｂの上面の大きさと略同じ大きさに設定されている。なお、透光板２の下面の表示部２ａ以外の部分には、黒色等の印刷がされている。
【００１８】
一方、ＬＥＤ３は、透光板２の表示部２ａが並ぶ長さ方向の端部に設けられ、透光板２の内部へ向かって光を照射するように構成されている。
【００１９】
そして、ＬＥＤ３から透光板２の長さ方向に沿って照射された光を透光板２の内部で乱反射させて該乱反射した光を前記凸部２ｂから透光板２の外部へ出す反射部２ｅが透光板２の側面に形成されている。即ち、図１（ｂ）に示すように、透光板２の側面には、表示部２ａと対向するように斜めに傾斜した下向傾斜面２ｃと鉛直面２ｄとが形成されており、下向傾斜面２ｃに反射部２ｅが形成されている。表示部２ａと対向する面である下向傾斜面２ｃに反射部２ｅを設けたのは、反射部２ｅで乱反射した光が表示部２ａへ向かい、該表示部２ａで再度反射した光が凸部２ｂから透光板２の外部へ出るようにしたものである。
【００２０】
ここで、反射部２ｅは細かい凹凸を有するザラザラ面であり、透光板２の長さ方向に沿って照射された光（イ）は反射部２ｅで乱反射して光（ロ）となり、表示部２ａの全体を照らすようになっている。
【００２１】
このほか、図１（ａ）に示すように、透光板２の両側には、下向傾斜面２ｉ，２ｊ，２ｋと、鉛直面２ｍ，２ｎ，２ｐが形成されている。
【００２２】
シフト位置表示装置の作用を説明する。
【００２３】
この発明によれば、図１（ｃ）に示すようにＬＥＤ３から透光板２の長さ方向に沿って照射された矢印（イ）で示す光は、図１（ｂ）に示すように表示部２ａと対向する下向傾斜面２ｃの反射部２ｅで乱反射され、該乱反射された光は矢印（ロ）で示すように表示部２ａへ向かって照射され、該表示部２ａで再度反射されて図１（ｂ）の矢印（ハ）で示す光となり、凸部２ｂから透光板２の外部へ出る。従って、表示部２ａの全体を視覚により認識することができる。
（ｂ）実施の形態２
次に、実施の形態２について説明する。
【００２４】
この実施の形態では、透光板２の断面形状が図２（ｂ）のようになっている。即ち、透光板２の両側には、実施の形態１において側面に形成されていた鉛直面２ｄに代えて、前記凸部２ｂと対向する上向傾斜面２ｑが形成されており、該上向傾斜面２ｑに反射部２ｅが形成されている。これは、反射部２ｅで乱反射した光が直接に凸部２ｂから透光板２の外部へ出るようにしたものである。反射部２ｅの構成は、実施の形態１と同じである。なお、実施の形態２では、上向傾斜面２ｑの上に位置する下向傾斜面２ｃは、実施の形態１のように透光板２の全長に亘って形成されてはいないが、形成してもよい。図２（ａ）のように凸部２ｂと凸部２ｂとの間に水平面２ｒを形成することにより、凸部２ｂと対応する部分のみに下向傾斜面２ｃが形成されている。
【００２５】
この発明によれば、図１（ｃ）に矢印（イ）で示すのと同様に、ＬＥＤ３から透光板２の長さ方向に沿って照射された光は、上向傾斜面２ｑの反射部２ｅで乱反射されて図２（ｂ）に矢印（ニ）で示す光となり、該乱反射された光は凸部２ｂから直接に透光板２の外部へ出る。そして、上向傾斜面２ｑの反射部２ｅで乱反射された光の一部は、表示部２ａへ向かって照射され、該表示部２ａで反射されて凸部２ｂから透光板２の外部へ出る。従って、光の中に表示部２ａの文字が浮き出て見え、見栄えが向上する。
【００２６】
なお、実施の形態１，２では光源としてＬＥＤを用いたが、電球であってもよい。また、ＬＥＤ３を透光板２の一方側の端面に配置したが、両方の端面に配置してもよい。更に、図１（ａ）に示すように反射部２ｅを有する下向傾斜面２ｃは透光板２の全長にわたって連続して形成してもよいが、表示部２ａと対応する部分の周辺のみに間欠的に形成してもよい。
【図面の簡単な説明】
【００２７】
【図１】シフト位置表示装置に係り、（ａ）は斜視図、（ｂ）は断面図、（ｃ）は説明図（実施の形態１）。
【図２】シフト位置表示装置に係り、（ａ）は斜視図、（ｂ）は断面図（実施の形態２）。
【図３】インジケータパネルの斜視図。
【符号の説明】
【００２８】
２…透光板
２ａ…表示部
２ｂ…凸部
２ｃ…下向傾斜面（表示部と対向する面）
２ｅ…反射部
２ｑ…上向傾斜面（凸部と対向する面）
３…ＬＥＤ（光源）
４…インジケータパネル
４ｂ…窓
【図１】
0005007189.tif 000002
【図２】
0005007189.tif 000003
【図３】
0005007189.tif 000004